(57)【要約】【課題】  指針回動領域をほぼ円形にし、同時に高い質感も得ることができるようにする。【解決手段】  ほぼ円形の指針回動領域１を有する表示板２に、指針回動領域１のほぼ半径方向へ延びるスリット３を形成し、スリット３を通してスリット３とほぼ等幅の円弧板形状をした指針板５を表示板２の表面に出没させ得るよう構成するようにしている。【選択図】        図２
2006118949.tif 000002
【特許請求の範囲】
【請求項１】
ほぼ円形の指針回動領域を有する表示板に、指針回動領域のほぼ半径方向へ延びるスリットを形成し、該スリットを通してスリットとほぼ等幅の円弧板形状をした指針板を表示板の表面に出没させ得るよう構成したことを特徴とする車両用計器装置。
【発明の詳細な説明】
【技術分野】
【０００１】
この発明は、車両用計器装置に関するものである。
【背景技術】
【０００２】
自動車などの車両には、車室内の前部に速度計や回転計などの計器装置が設けられている。このような計器装置には、指針などを機械的に動かして情報を表示させるようにした機械式のものや、表示パネルに情報をアナログ表示やデジタル表示させるようにしたグラフィック式のものなど各種のものが存在している。このうち機械式の計器装置では、表示板に形成されたほぼ円形の指針回動領域に沿って実指針を回動させるようにしたものが一般的である（例えば、特許文献１参照）。
【０００３】
これに対し、機械式の計器装置で実指針を用いないものとして、ほぼ円形の指針回動領域の表面にほぼ円形の回転円板を同心状に配設し、この回転円板に指針を描いて、回転円板を回転させることにより、指針を用いて情報を数値表示させるようにしたものや、ほぼ半円形の指針回動領域に対してほぼ半円形の回転板を同心状に配設し、この回転板を回転させて指針回動領域の表面に出没させることにより、回転板の露出面積で情報を円グラフ表示（面積表示）させるようにしたものなどが考えられる。
【特許文献１】実公平６−４８３４２号公報
【発明の開示】
【発明が解決しようとする課題】
【０００４】
しかしながら、上記した機械式の計器装置で実指針を用いないものの場合、円形の回転円板に指針を描いて情報を数値表示させるようにした前者のものでは、回転円板が常時露出しているため、質感が出せないという問題があり、また、ほぼ半円形の回転板によって情報を円グラフ表示させるようにした後者のものでは、回転板が隠れるスペースを確保するため、指針回動領域をほぼ半円形の大きさまでしか確保することができないという問題があった。
【課題を解決するための手段】
【０００５】
上記課題を解決するために、請求項１に記載された発明では、ほぼ円形の指針回動領域を有する表示板に、指針回動領域のほぼ半径方向へ延びるスリットを形成し、該スリットを通してスリットとほぼ等幅の円弧板形状をした指針板を表示板の表面に出没させ得るよう構成した車両用計器装置を特徴としている。
【発明の効果】
【０００６】
請求項１の発明によれば、ほぼ円形の指針回動領域を有する表示板に形成した指針回動領域のほぼ半径方向へ延びるスリットを通して、スリットとほぼ等幅の円弧板形状をした指針板を表示板の表面に出没させるようにすることにより、指針板を表示板の裏面に隠すことができるので、実指針を用いない機械式の計器装置であっても構造上の無理なく、指針回動領域をほぼ円形にすることが可能となり、同時に高い質感も得ることができる。
【発明を実施するための最良の形態】
【０００７】
指針回動領域をほぼ円形にし、同時に高い質感も得ることができるようにするという目的を、ほぼ円形の指針回動領域を有する表示板に、指針回動領域のほぼ半径方向へ延びるスリットを形成し、スリットを通してスリットとほぼ等幅の円弧板形状をした指針板を表示板の表面に出没させ得るよう構成する、という手段で実現した。
【実施例】
【０００８】
以下、本発明を具体化した実施例について、図示例と共に説明する。
【０００９】
図１〜図８は、この発明の実施例を示すものである。
【００１０】
この実施例にかかる実指針を用いない機械式の計器装置は、以下の構造を備えている。
【００１１】
図１に示すように、ほぼ円形の指針回動領域１を有する表示板２を設ける。この表示板２に指針回動領域１のほぼ半径方向へ延びるスリット３を形成する。なお、指針回動領域１は、線などによって表示板２上で区画されている必要はないが、反対に、線や色分けなどによって表示板２上で明確に区画するようにしても良い。また、指針回動領域１は、完全な円である必要はないが、少なくとも半円形よりも中心角の大きい扇型をして実用上有効な領域が確保できれば良い。
【００１２】
そして、図２に示すように、このスリット３とほぼ等幅の円弧板形状をした指針板５を設け、この指針板５を表示板２の裏面に配設し、スリット３を通して指針板５を表示板２の表面に出没させ得るようにする。なお、円弧板形状の指針板５は、中心角の長さが３６０度以上であっても３６０度以下であっても良いが、指針回動領域１とほぼ同等の中心角を有するのが好ましい。また、円弧板形状の指針板５は、軸心方向へ僅かに変形させて、ほぼ螺旋状となるようにする。なお、指針板５は、スリット３からの出没には耐えると共に、表示板２の面に沿ってなじむような変形を許容し得る材質のものとするのが好ましい。例えば、樹脂フィルムなどによって指針板５を構成する。
【００１３】
また、指針板５をスリット３から出没させる手段としては、中心駆動式の駆動手段１１や、外周手動式の駆動手段１２などが考えられる。
【００１４】
例えば、中心駆動式の駆動手段１１は、図２〜図４に示すようなものとする。即ち、表示板２の裏面側に配置された基板１３から指針回動領域１の中心へ向けてほぼ垂直に中空の回転中心軸１４を立設し、この回転中心軸１４の外周面に雄ネジ部１５を形成する。そして、この雄ネジ部１５に螺合する雌ネジ部１６を内周面に有するスリーブ１７を回転中心軸１４に回転および軸方向移動可能に螺着する。このスリーブ１７の表示板２側の端部に指針板５の後端内周部分に形成された中心側張出部１８を固着する。そして、回転中心軸１４の表示板２側の端部にフランジ１９を形成し、このフランジ１９とスリーブ１７の表示板２側の端部との間にスリーブ１７を基板１３側へ向けて付勢するコイルスプリングなどの付勢手段２０を介装する。更に、スリーブ１７の基板１３寄りの位置の外周面にスリーブ１７と一体となって回転および軸方向移動可能に浮動ギヤ２１を焼き嵌めや冷やし嵌めなどにより固着する。この浮動ギヤ２１をムーブメントなどの駆動装置２２の出力軸２３に取付けたピニオンギヤ２４を用いて駆動させるようにする。この場合、浮動ギヤ２１はピニオンギヤ２４に対して軸方向へ移動しつつ回転力を伝達され得るよう、軸方向に所要の厚味を有している。この中心駆動式の駆動手段１１は、表示板２の表面を凹凸のない平坦な状態に仕上げることができるという利点がある。
【００１５】
また、例えば、外周手動式の駆動手段１２は、図５に示すようなものとする。即ち、指針板５の外周にラックギヤ２６を形成し、このラックギヤ２６を表示板２の裏面側に配置されたムーブメントなどの駆動装置２２の出力軸２３に取付けたピニオンギヤ２４を用いて駆動させるようにする。この場合、表示板２の表面と裏面とに対し、指針板５の外周を案内するガイドレール２７を設けても良い。この外周手動式の駆動手段１２は、構造が簡単であるという利点がある。なお、外周手動式の駆動手段１２とした場合には、中心駆動式の駆動手段１１の場合と比べて、指針板５はより厚味のあるものとする。
【００１６】
そして、この実指針を用いない機械式の計器装置の使用態様には、以下のような各種のものが考えられる。
【００１７】
先ず、図２に示すように、円弧板形状の指針板５の先端縁部に指針回動領域１のほぼ半径方向へ延びる指針３１を描くなどして、指針３１で情報を数値表示させ得るようにすることもできる。
【００１８】
または、円弧板形状の指針板５の表面に着色を施すことにより、情報を円グラフ表示（面積表示）させ得るようにすることもできる。この際の着色には、任意性があり、例えば、全体的なものとしても部分的なものとしても良い。また、一色でも複数色でも良い。また、グラデーションや模様などとしても良い。
【００１９】
更に、上記の両者を組合せて、円弧板形状の指針板５の先端縁部に指針３１を描くなどすると共に、円弧板形状の指針板５の表面に着色を施すことにより、数値表示と円グラフ表示を同時に行わせ得るようにすることもできる。
【００２０】
或いは、円弧板形状の指針板５の表面に対し、ＥＬパネルなどのフィルム状の表示装置３５を貼付けてグラフィック表示を行わせるようにしても良い。このグラフィック表示には、上記数値表示、円グラフ表示、両者の組合せによる同時表示なども含まれる。また、この場合には、これらの表示の選択的な切替えなども可能である。
【００２１】
または、円弧板形状の指針板５の表面に対し、蛍光体を塗布して外部からブラックライトで照明して蛍光体を発光させることにより、数値表示、円グラフ表示、両者の組合せによる同時表示など、ＥＬパネルなどのフィルム状の表示装置３５とほぼ同等の表示を行わせることもできる。
【００２２】
そして、表示板２に対しては、文字、数値、目盛を、直接描くこともできる。
【００２３】
これに対し、表示板２に対して、文字、数値、目盛を、直接描かないようにすることもできる。例えば、図６に示すように、表示板２の上方に液晶パネルやＥＬパネルなどの表示装置４０を配設し、表示板２と表示装置４０との間に斜めにハーフミラー４１を配設し、表示板２上の指針板５と、表示装置３５による文字、数値、目盛の表示４２とをこのハーフミラー４１を用いて合成させるようにすることもできる。これにより、立体感や奥行感を得ることができる。また、表示装置４０の表示を変更したり切替えたりすることにより、様々な表示効果を演出することができる。
【００２４】
更には、指針板５と実指針４５とを組合せることもできる。この場合には、図７に示すように、同一の情報を実指針４５の数値表示と指針板５の円グラフ表示とで同時に表示させても良い。これにより、情報の認知性を高めることができる。
【００２５】
または、図８に示すように、異なる情報を実指針４５の数値表示と指針板５の円グラフ表示とで二重に表示させることもできる。例えば、速度計の場合、速度を実指針４５で数値表示し、法定速度を指針板５で円グラフ表示することができる。これにより、法定運行を励行させることができる。
【００２６】
この際、中心駆動式とした場合には中空の回転中心軸１４の中に指針軸を通すことにより、実指針４５を設置することができる。また、外周手動式の場合には、表示板２裏面の中心部はスペースが空いているので、支障無く指針軸を通して実指針４５を設置することが可能である。
【００２７】
この実施例によれば、ほぼ円形の指針回動領域１を有する表示板２に形成した指針回動領域１のほぼ半径方向へ延びるスリット３を通して、スリット３とほぼ等幅の円弧板形状をした指針板５を表示板２の表面に出没させるようにすることにより、指針板５を表示板２の裏面に隠すことができるので、実指針４５を用いない機械式の計器装置であっても構造上の無理なく、指針回動領域１をほぼ円形にすることが可能となり、同時に高い質感も得ることができる。
【００２８】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。例えば、表示装置３５は、液晶パネルやＥＬパネルに限らず、これらと同等のものを使用することができる。
【図面の簡単な説明】
【００２９】
【図１】本発明の実施例にかかる表示板の斜視図である。
【図２】実指針を用いない機械式の計器装置の分解斜視図である。
【図３】図２の中心駆動式の駆動手段の部分拡大斜視図である。
【図４】中心駆動式の駆動手段の側方断面図である。
【図５】外部駆動式の駆動手段の分解斜視図である。
【図６】表示板と表示装置による合成表示の例を示す斜視図である。
【図７】指針板と実指針とを組合せて同一の情報を表示させた例を示す斜視図である。
【図８】指針板と実指針とを組合せて異なる情報を表示させた例を示す斜視図である。
【符号の説明】
【００３０】
１    指針回動領域
２    表示板
３    スリット
５    指針板
【図１】
2006118949.tif 000003
【図２】
2006118949.tif 000004
【図３】
2006118949.tif 000005
【図４】
2006118949.tif 000006
【図５】
2006118949.tif 000007
【図６】
2006118949.tif 000008
【図７】
2006118949.tif 000009
【図８】
2006118949.tif 000010